(57)【要約】 【課題】  電源オン又は省エネモードからの復帰のときの印刷画質調整による待ち時間を低減する。加えて、原稿スキャナを備える場合のスキャナ配信やコピーのための、前記復帰のときの読取画質調整による待ち時間を低減する。【解決手段】  黒作像手段１２０Ｋ，複数の色画像作像手段１２０Ｙ他，トナー画像に転写手段１０６，定着手段１０７、および、カラー印刷指示時に色画像作像手段でカラー印刷を行い、カラー印刷指定なしの印刷指示時に黒作像手段でモノクロ印刷を行う作像制御手段ＡＣＰ，１３１、を備え、装置に作像用電圧が加わっていない電源オフの間も、電源オフ切換前の印刷設定がカラー印刷か否かを保存し、前記復帰の直後に、該保存の印刷設定がカラー印刷でないと、トナー画像濃度調整を含む印刷画質調整をする場合、黒作像手段の印刷画質調整（図１２の８）に限定する、画質調整制御手段ＡＣＰ、を備えることを特徴とする。【選択図】  図１２
2009186897.tif 000002
【特許請求の範囲】
【請求項１】
感光体上に黒画像をトナーで形成する黒作像手段，それぞれがカラー画像形成のための異なる色の色トナー画像を感光体上に形成する複数の色画像作像手段，感光体上に形成されたトナー画像を用紙に転写する転写手段，用紙に転写されたトナー画像を該用紙に定着する手段、および、カラー印刷の指示に応じて前記色画像作像手段により色トナー画像を形成するカラーモードの印刷を行い、カラー印刷の指定がない印刷指示に応じて前記黒作像手段により黒画像をトナーで形成するモノクロモードの印刷を行う作像制御手段、を備えるカラー画像形成装置において、
該カラー画像形成装置に作像用動作電圧が加わっていない電源オフの間も、該電源オフに切換る前の印刷設定が前記カラー印刷か否かを保存し、該カラー画像形成装置に作像用動作電圧が加わった直後に、前記保存している印刷設定がカラー印刷でないと、トナー画像濃度調整を含む印刷画質調整をする場合、前記黒作像手段の印刷画質調整に限定する、画質調整制御手段、を備えることを特徴とする、カラー画像形成装置。
【請求項２】
前記作像制御手段は、カラー印刷の指示に応じて前記カラーモードの印刷を行い、モノクロ印刷の指示に応じて前記モノクロモードの印刷を行い、前記画質調整制御手段は、カラー画像形成装置に作像用動作電圧が加わっていない電源オフの間も、該電源オフに切換る前の印刷設定が前記カラー印刷かモノクロ印刷かを保存し、該カラー画像形成装置に作像用動作電圧が加わった直後に、前記保存している印刷設定がモノクロ印刷であると、トナー画像濃度調整を含む印刷画質調整をする場合、前記黒作像手段の印刷画質調整に限定する、請求項１に記載のカラー画像形成装置。
【請求項３】
前記作像制御手段は、ファクシミリ受信書画の印刷指示に応じてモノクロモードの印刷を行い、前記画質調整制御手段は、作像用動作電圧がオフに切換る直前の印刷設定がファクシミリ受信書画の印刷のときはこれをモノクロ印刷として作像用動作電圧がオフの間保存する、請求項２に記載のカラー画像形成装置。
【請求項４】
前記画質調整制御手段は、前記カラー画像形成装置に作像用動作電圧が加わった直後に、前記保存している印刷設定がカラー印刷であると、トナー画像濃度調整を含む印刷画質調整をする場合、前記色画像作像手段の印刷画質調整を行う、請求項１乃至３のいずれか１つに記載のカラー画像形成装置。
【請求項５】
前記画質調整制御手段は、モノクロモードの印刷をするとモノクロ調整要情報を保持し前記黒作像手段の印刷画質調整を終えると該モノクロ調整要情報を消去し、カラーモードの印刷をするとカラー調整要情報を保持し前記色作像手段の印刷画質調整を終えると該カラー調整要情報を消去し、該カラー画像形成装置に作像用動作電圧が加わった直後に、前記保存している印刷設定がカラー印刷でない場合に前記モノクロ調整要情報があるときに前記黒作像手段の印刷画質調整を行い、前記保存している印刷設定がカラー印刷である場合に前記カラー調整要情報があるときに前記色作像手段の印刷画質調整を行う、請求項４に記載の画像形成装置。
【請求項６】
前記色作像手段の印刷画質調整は、各色作像手段の各色画像を重ねる位置ずれの調整である画像位置調整、を含む、請求項４又は５に記載の画像形成装置。
【請求項７】
前記画像形成装置は原稿スキャナを備え、前記作像制御手段は、該原稿スキャナで原稿の画像を読み取り画像データを生成し外部に送信するスキャナ配信、および、該原稿スキャナで原稿の画像を読み取り画像データを生成し該画像データが表す画像を前記黒作像手段および又は色作像手段で作像するコピー、を行う、請求項１乃至６のいずれか１つに記載の画像形成装置。
【請求項８】
前記画質調整制御手段は、前記カラー画像形成装置に作像用動作電圧が加わっていない電源オフの間も、該電源オフに切換る前の動作モードがカラースキャナ配信か否かを保存し、該カラー画像形成装置に作像用動作電圧が加わった直後に、前記保存しているスキャナ配信設定がカラースキャナ配信でないと、前記原稿スキャナの白読取レベル調整を含む読取画質調整をする場合、モノクロ読取の読取画質調整に限定する、請求項７に記載の、カラー画像形成装置。
【請求項９】
前記画質調整制御手段は、前記カラー画像形成装置に作像用動作電圧が加わっていない電源オフの間も、該電源オフに切換る前の動作モードがカラースキャナ配信か否かを保存し、該カラー画像形成装置に作像用動作電圧が加わった直後に、前記保存しているスキャナ配信設定がモノクロスキャナ配信であると、前記原稿スキャナの白読取レベル調整を含む読取画質調整をする場合、モノクロ読取の読取画質調整に限定する、請求項８に記載の、カラー画像形成装置。
【請求項１０】
前記画質調整制御手段は、前記カラー画像形成装置に作像用動作電圧が加わった直後に、前記保存しているスキャナ配信設定がカラースキャナ配信であると、前記原稿スキャナの白読取レベル調整を含む読取画質調整をする場合、カラー読取の読取画質調整を行う、請求項７乃至９のいずれか１つに記載のカラー画像形成装置。
【請求項１１】
前記画質調整制御手段は、前記カラー画像形成装置に作像用動作電圧が加わっていない電源オフの間も、該電源オフに切換る前の動作モードがカラーコピーか否かを保存し、該カラー画像形成装置に作像用動作電圧が加わった直後に、前記保存しているコピー設定がカラーコピーでないと、前記原稿スキャナの白読取レベル調整を含む読取画質調整をする場合、モノクロ読取の読取画質調整に限定する、請求項７乃至１０のいずれか１つに記載の、カラー画像形成装置。
【請求項１２】
前記画質調整制御手段は、前記カラー画像形成装置に作像用動作電圧が加わっていない電源オフの間も、該電源オフに切換る前の動作モードがカラーコピーか否かを保存し、該カラー画像形成装置に作像用動作電圧が加わった直後に、前記保存しているコピー設定がモノクロコピーであると、前記原稿スキャナの白読取レベル調整を含む読取画質調整をする場合、モノクロ読取の読取画質調整に限定する、請求項１１に記載の、カラー画像形成装置。
【請求項１３】
前記画質調整制御手段は、前記カラー画像形成装置に作像用動作電圧が加わった直後に、前記保存しているコピー設定がカラーコピーであると、前記原稿スキャナの白読取レベル調整を含む読取画質調整をする場合、カラー読取の読取画質調整を行う、請求項１１乃至１２のいずれか１つに記載のカラー画像形成装置。
【請求項１４】
前記画質調整制御手段は、前記原稿スキャナでモノクロ読取をするとモノクロ読取画質調整要情報を保持し前記モノクロ読取の読取画質調整を終えると該モノクロ読取画質調整要情報を消去し、カラー読取をするとカラー読取画質調整要情報を保持し前記カラー読取の読取画質調整を終えると該カラー読取画質調整要情報を消去し、該カラー画像形成装置に作像用動作電圧が加わった直後に、前記保存している読取設定がカラー読取でない場合に前記モノクロ読取画質調整要情報があるときに前記モノクロ読取の読取画質調整を行い、前記保存している読取設定がカラー読取である場合に前記カラー読取画質調整要情報があるときに前記カラー読取の読取画質調整を行う、請求項７乃至１３に記載の画像形成装置。
【請求項１５】
前記カラー画像形成装置に作像用動作電圧が加わっていない前記電源オフは、外部電源と該カラー画像形成装置との間の電源スイッチの非導通を含む、請求項１乃至１４のいずれか１つに記載のカラー画像形成装置。
【請求項１６】
前記カラー画像形成装置に作像用動作電圧が加わっていない前記電源オフは、作像用動作電圧がオフではあるが、省エネモードから作像用動作電圧が加わるスタンバイモードへの復帰指示信号に応答して作動用動作電圧を該カラー画像形成装置に加える復帰回路部への信号検出電圧の印加、を含む、請求項１乃至１５のいずれか１つに記載のカラー画像形成装置。
【発明の詳細な説明】
【技術分野】
【０００１】
本発明は、  黒画像をトナーで形成し中間転写体に転写する黒作像手段およびそれぞれがカラー画像形成のための異なる色の色トナー画像を形成し中間転写体に転写する複数の色画像作像手段を備え、中間転写体に転写されたトナー画像を用紙に転写する、カラーモードとモノクロモードのいずれかで印刷を行う、カラー画像形成装置に関する。このカラー画像形成装置は、プリンタ，複写機およびファクシミリに用いることができる。
【背景技術】
【０００２】
【特許文献１】特開２００３−３４５１８０号公報
【特許文献２】特開２００７−０１１１８９号公報
【特許文献３】特開２００７−１０８６０８号公報
【特許文献４】特開２００６−０７４２０４号公報
【特許文献５】特開２００４−０７７６２３号公報。
【０００３】
特許文献１には、電源オン直後または省エネモードから動作モードに復帰直後に、画質調整を省略して画像形成に進むプリンタが記載されている。特許文献２には、黒Ｂｋ作像のトナー濃度およびカラーＣ，Ｍ，Ｙ作像の各トナー濃度を調整する印刷画質調整の一形態を開示している。特許文献３は、Ｂｋ，Ｃ，Ｍ，Ｙ各色作像濃度の調整および各色像重ね位置調整を含む印刷画質調整の一形態を開示している。特許文献４は、原稿スキャナのカラー読取の白レベル調整およびモノクロ読取の白レベル調整を含む画像読取の画質調整の一形態を開示している。特許文献５は、電源オン直後の作像可のスタンバイモードからの、作像動作電圧をオフにして電力消費を節減する省エネモードへの切換え制御およびその逆の切換え制御の一形態を開示している。
【発明の開示】
【発明が解決しようとする課題】
【０００４】
印刷画質調整は一般的に、Ｂｋ，Ｃ，Ｍ，Ｙ各色作像濃度調整および各色像重ね位置調整を一回の印刷画質調整として実行するので、電源オン又は省エネモードからの復帰のときに印刷画質調整が実行されると、印刷開始するまでの待ち時間が長く、不便である。特許文献１は、画質優先か速度優先かを選択できる機能を備えて、速度優先が選択されているときには、電源オン又は省エネモードからの復帰のときに印刷画質調整は行わないで印刷に進むようにしているので、しかしながら、速度優先が選択されているときには、モノクロ印刷であれ、カラー印刷であれ、印刷画質が無視される。
【０００５】
ところで、モノクロ印刷の印刷画質調整は、Ｂｋ作像に対してのみ実施すればよいので、長時間を要しない。カラー印刷の印刷画質調整は、Ｃ，Ｍ，Ｙおよび必要に応じてＢｋ、それぞれの濃度調整を行うので時間がかかり、更に各色画像の重ね合わせの位置調整をする場合には、印刷画質調整の時間が格段に長くなる。
【０００６】
本発明は、電源オン又は省エネモードからの復帰のときの印刷画質調整による待ち時間を低減することを第１の目的とし、加えて、原稿スキャナを備える場合のスキャナ配信やコピーのための、電源オン又は省エネモードからの復帰のときの読取画質調整による待ち時間を低減することを第２の目的とする。
【課題を解決するための手段】
【０００７】
（１）  感光体上に黒画像をトナーで形成する黒作像手段(111K,120K)，それぞれがカラー画像形成のための異なる色の色トナー画像を感光体上に形成する複数の色画像作像手段(111Y,120Y/111C,120C/111M,120M)，感光体上に形成されたトナー画像を用紙に転写する転写手段(106)，用紙に転写されたトナー画像を該用紙に定着する手段(107)、および、カラー印刷の指示に応じて前記色画像作像手段により色トナー画像を形成するカラーモードの印刷を行い、カラー印刷の指定がない印刷指示に応じて前記黒作像手段により黒画像をトナーで形成するモノクロモードの印刷を行う作像制御手段(ACP,131)、を備えるカラー画像形成装置において、
該カラー画像形成装置に作像用動作電圧が加わっていない電源オフの間も、該電源オフに切換る前の印刷設定が前記カラー印刷か否かを保存し、該カラー画像形成装置に作像用動作電圧が加わった直後に、前記保存している印刷設定がカラー印刷でないと、トナー画像濃度調整を含む印刷画質調整をする場合、前記黒作像手段の印刷画質調整(図１２の8)に限定する、画質調整制御手段(ACP)、を備えることを特徴とする、カラー画像形成装置(A1)。
【０００８】
なお、理解を容易にするために括弧内には、図面に示し後述する実施例の対応要素又は対応事項の符号を、例示として参考までに付記した。以下も同様である。
【発明の効果】
【０００９】
電源オフになる前の設定がカラー印刷でなかった場合、電源オン直後にトナー画像濃度調整を含む印刷画質調整をする場合でも、印刷画質調整が黒作像手段の印刷画質調整(図１２の8)に限定されるので、電源オンからモノクロ印刷開始までの待ち時間が短い。
【００１０】
（２）前記作像制御手段(ACP,131)は、カラー印刷の指示に応じて前記カラーモードの印刷を行い、モノクロ印刷の指示に応じて前記モノクロモードの印刷を行い、前記画質調整制御手段(ACP)は、カラー画像形成装置に作像用動作電圧が加わっていない電源オフの間も、該電源オフに切換る前の印刷設定が前記カラー印刷かモノクロ印刷かを保存し、該カラー画像形成装置に作像用動作電圧が加わった直後に、前記保存している印刷設定がモノクロ印刷であると、トナー画像濃度調整を含む印刷画質調整をする場合、前記黒作像手段の印刷画質調整(図１２の8)に限定する、上記（１）に記載のカラー画像形成装置。
【００１１】
これによれば、電源オフになる前の設定がモノクロ印刷であった場合、電源オン直後にトナー画像濃度調整を含む印刷画質調整をする場合でも、印刷画質調整が黒作像手段の印刷画質調整(図１２の8)に限定されるので、電源オンからモノクロ印刷開始までの待ち時間が短い。
【００１２】
（３）前記作像制御手段(ACP,131)は、ファクシミリ受信書画の印刷指示に応じてモノクロモードの印刷を行い、前記画質調整制御手段(ACP)は、作像用動作電圧がオフに切換る直前の印刷設定がファクシミリ受信書画の印刷のときはこれをモノクロ印刷として作像用動作電圧がオフの間保存する、上記（２）に記載のカラー画像形成装置。
【００１３】
（４）前記画質調整制御手段(ACP)は、前記カラー画像形成装置に作像用動作電圧が加わった直後に、前記保存している印刷設定がカラー印刷であると、トナー画像濃度調整を含む印刷画質調整をする場合、前記色画像作像手段の印刷画質調整(図１２の7)を行う、上記（１）乃至（３）のいずれか１つに記載のカラー画像形成装置。
【００１４】
（５）前記画質調整制御手段(ACP)は、モノクロモードの印刷をするとモノクロ調整要情報(FPke=1)を保持し前記黒作像手段の印刷画質調整(図１２の8)を終えると該モノクロ調整要情報を消去し(FPke=0)、カラーモードの印刷をするとカラー調整要情報(FPce=1)を保持し前記色作像手段の印刷画質調整(図１２の7)を終えると該カラー調整要情報を消去し(FPce=0)、該カラー画像形成装置に作像用動作電圧が加わった直後に、前記保存している印刷設定がカラー印刷でない場合に前記モノクロ調整要情報(FPke=1)があるときに前記黒作像手段の印刷画質調整(図１２の8)を行い、前記保存している印刷設定がカラー印刷である場合に前記カラー調整要情報(FPce=1)があるときに前記色作像手段の印刷画質調整(図１２の7)を行う、上記（４）に記載の画像形成装置。
【００１５】
（６）前記色作像手段の印刷画質調整は、各色作像手段の各色画像を重ねる位置ずれの調整である画像位置調整(74)、を含む、上記（４）又は（５）に記載の画像形成装置。
【００１６】
（７）前記画像形成装置は原稿スキャナ(10)を備え、前記作像制御手段(ACP,131)は、該原稿スキャナで原稿の画像を読み取り画像データを生成し外部に送信するスキャナ配信、および、該原稿スキャナで原稿の画像を読み取り画像データを生成し該画像データが表す画像を前記黒作像手段および又は色作像手段で作像するコピー、を行う、上記（１）乃至（６）のいずれか１つに記載の画像形成装置。
【００１７】
（８）前記画質調整制御手段(ACP)は、前記カラー画像形成装置に作像用動作電圧が加わっていない電源オフの間も、該電源オフに切換る前の動作モードがカラースキャナ配信か否かを保存し、該カラー画像形成装置に作像用動作電圧が加わった直後に、前記保存しているスキャナ配信設定がカラースキャナ配信でないと、前記原稿スキャナの白読取レベル調整を含む読取画質調整をする場合、モノクロ読取の読取画質調整(図１３の20)に限定する、上記（７）に記載の、カラー画像形成装置。
【００１８】
（９）前記画質調整制御手段(ACP)は、前記カラー画像形成装置に作像用動作電圧が加わっていない電源オフの間も、該電源オフに切換る前の動作モードがカラースキャナ配信か否かを保存し、該カラー画像形成装置に作像用動作電圧が加わった直後に、前記保存しているスキャナ配信設定がモノクロスキャナ配信であると、前記原稿スキャナの白読取レベル調整を含む読取画質調整をする場合、モノクロ読取の読取画質調整(図１３の20)に限定する、上記（８）に記載の、カラー画像形成装置。
【００１９】
（１０）前記画質調整制御手段(ACP)は、前記カラー画像形成装置に作像用動作電圧が加わった直後に、前記保存しているスキャナ配信設定がカラースキャナ配信であると、前記原稿スキャナの白読取レベル調整を含む読取画質調整をする場合、カラー読取の読取画質調整(図１３の19)を行う、上記（７）乃至（９）のいずれか１つに記載のカラー画像形成装置。
【００２０】
（１１）前記画質調整制御手段(ACP)は、前記カラー画像形成装置に作像用動作電圧が加わっていない電源オフの間も、該電源オフに切換る前の動作モードがカラーコピーか否かを保存し、該カラー画像形成装置に作像用動作電圧が加わった直後に、前記保存しているコピー設定がカラーコピーでないと、前記原稿スキャナの白読取レベル調整を含む読取画質調整をする場合、モノクロ読取の読取画質調整に限定する、上記（７）乃至（１０）のいずれか１つに記載の、カラー画像形成装置。
【００２１】
（１２）前記画質調整制御手段は、前記カラー画像形成装置に作像用動作電圧が加わっていない電源オフの間も、該電源オフに切換る前の動作モードがカラーコピーか否かを保存し、該カラー画像形成装置に作像用動作電圧が加わった直後に、前記保存しているコピー設定がモノクロコピーであると、前記原稿スキャナの白読取レベル調整を含む読取画質調整をする場合、モノクロ読取の読取画質調整(図１３の20)に限定する、上記（１１）に記載の、カラー画像形成装置。
【００２２】
（１３）前記画質調整制御手段は、前記カラー画像形成装置に作像用動作電圧が加わった直後に、前記保存しているコピー設定がカラーコピーであると、前記原稿スキャナの白読取レベル調整を含む読取画質調整をする場合、カラー読取の読取画質調整(図１３の19)を行う、上記（１１）乃至（１２）のいずれか１つに記載のカラー画像形成装置。
【００２３】
（１４）前記画質調整制御手段(ACP)は、前記原稿スキャナでモノクロ読取をするとモノクロ読取画質調整要情報(FSke=1)を保持し前記モノクロ読取の読取画質調整(図１３の20)を終えると該モノクロ読取画質調整要情報を消去し(FSke=0)、カラー読取をするとカラー読取画質調整要情報(FSce=1)を保持し前記カラー読取の読取画質調整(図１３の19)を終えると該カラー読取画質調整要情報を消去し(FSce=0)、該カラー画像形成装置に作像用動作電圧が加わった直後に、前記保存している読取設定がカラー読取でない場合に前記モノクロ読取画質調整要情報(FSke=1)があるときに前記モノクロ読取の読取画質調整(図１３の20)を行い、前記保存している読取設定がカラー読取である場合に前記カラー読取画質調整要情報(FSce=1)があるときに前記カラー読取の読取画質調整(図１３の19)を行う、上記（７）乃至（１３）に記載の画像形成装置。
【００２４】
（１５）前記カラー画像形成装置に作像用動作電圧が加わっていない前記電源オフは、外部電源と該カラー画像形成装置との間の電源スイッチの非導通を含む、上記（１）乃至（１４）のいずれか１つに記載のカラー画像形成装置。
【００２５】
（１６）前記カラー画像形成装置に作像用動作電圧が加わっていない前記電源オフは、作像用動作電圧がオフではあるが、省エネモードから作像用動作電圧が加わるスタンバイモードへの復帰指示信号に応答して作動用動作電圧を該カラー画像形成装置に加える復帰回路部への信号検出電圧の印加、を含む、上記（１）乃至（１５）のいずれか１つに記載のカラー画像形成装置。
【発明を実施するための最良の形態】
【００２６】
本発明の他の目的および特徴は、図面を参照した以下の実施例の説明より明らかになろう。
【実施例１】
【００２７】
図１に、本発明の第１実施例の複合機能フルカラーデジタル複写機Ａ１の外観を示す。図１に示すフルカラー複写機Ａ１は、大略で、自動原稿送り装置（ＡＤＦ）３０と、操作ボード２０と、カラースキャナ１０と、カラープリンタ１００と、給紙バンク３５の各ユニットで構成されている。ステープラ及び作像された用紙を積載可能なトレイ付きのフィニッシャ３４と、両面ドライブユニット３３と、大容量給紙トレイ３６は、プリンタ１００に装着されている。
【００２８】
機内の画像データ処理装置ＡＣＰ（図４）には、パソコンＰＣが接続したＬＡＮ（Local Area Network）が接続されており、パソコンＰＣおよび画像データ処理装置ＡＣＰは、ルータを介してインターネット等の広域通信網Ｂに接続することができる。ファクシミリコントロールユニットＦＣＵ（図４）には、電話回線ＰＮ（ファクシミリ通信回線）に接続された交換器ＰＢ×が接続されている。カラープリンタ１００のプリント済の用紙は、排紙トレイ１０８上またはフィニッシャ３４に排出される。
【００２９】
図２に、スキャナ１０およびそれに装着されたＡＤＦ  ３０の、原稿画像読み取り機構を示す。このスキャナ１０のコンタクトガラス２３１上に置かれた原稿は、照明ランプ２３２により照明され、原稿の反射光（画像光）が第１ミラー２３３で副走査方向ｙと平行に反射される。照明ランプ２３２および第１ミラー２３３は、図示しない、副走査方向ｙに定速駆動される第１キャリッジに搭載されている。第１キャリッジと同方向にその１／２の速度で駆動される、図示しない第２キャリッジには、第２および第３ミラー２３４，２３５が搭載されており、第１ミラー２３３が反射した画像光は第２ミラー２３４で下方向（ｚ）に反射され、そして第３ミラー２３５で副走査方向ｙに反射されて、レンズ２３６により集束され、ＣＣＤ２０７に照射され、電気信号に変換される（コンタクトガラス上の手置き原稿の読み取り）。第１および第２キャリッジは、走行体モータ２３８を駆動源として、ｙ方向に往（原稿走査），復（リタ−ン）駆動される。ＣＣＤ２０７は、多数の光電変換素子が主走査方向に並んだ光電変換素子アレイを持ち、該アレイの画像読み取り信号を主走査ライン区分で繰り返し出力する撮像素子である。
【００３０】
スキャナ１０には、自動原稿供給装置ＡＤＦ  ３０が装着されている。ＡＤＦ  ３０の原稿トレイ２４１に積載された原稿は、ピックアップローラ２４２およびレジストローラ対２４３で搬送ドラム２４４と押さえローラ２４５の間に送り込まれて、搬送ドラム２４４に密着して読み取りガラス２４０の上を通過し、そして排紙ローラ２４６，２４７で、原稿トレイ２４１の下方の圧板兼用の排紙トレイ２４８上に排出される。原稿は、読み取りガラス２４０を通過する際に、その直下に位置決めされて静止している照明ランプ２３２により照射され、原稿の反射光は、第１ミラー２３３以下の光学系を介してＣＣＤ２０７に照射され光電変換される（シートスルー読取）。
【００３１】
読み取りガラス２４０と原稿始端の位置決め用のスケール２５１との間には、白基準板２３９、ならびに、第１キャリッジを検出する基点センサ２４９がある。白基準板２３９は、照明ランプ２３２の個々の発光強度のばらつき、また主走査方向のばらつきや、ＣＣＤ２０７の画素毎の感度ムラ等が原因で、一様な濃度の原稿を読み取ったにもかかわらず、読み取りデータがばらつく現象を補正（シェーディング補正）するために用意されている。このシェーディング補正は、まず白基準板２３９を原稿スキャン前に主走査方向１ライン分読み取り、この読み取った白基準データをメモリに記憶し、原稿画像を読み取るときは、原稿をスキャンした画素毎に、画像データを前記メモリ上の対応する白基準データで割り算するものである。
【００３２】
図３に、カラープリンタ１００の機構を示す。この実施例のカラープリンタ１００は、レーザプリンタである。このレーザプリンタ１００は、マゼンダ（Ｍ），シアン（Ｃ），イエロー（Ｙ）および黒（ブラック：Ｋ）の各色の画像を形成するための４組のトナー像形成ユニットが、転写紙の移動方向（図中の右下から左上方向ｙ）に沿ってこの順に配置されている。即ち、４連ドラム方式のフルカラー画像形成装置である。
【００３３】
これらマゼンダ（Ｍ），シアン（Ｃ），イエロー（Ｙ）および黒（Ｋ）のトナー像形成ユニットは、それぞれ、感光体ドラム１１１Ｍ，１１１Ｃ，１１１Ｙおよび１１１Ｋを有する感光体ユニット１１０Ｍ，１１０Ｃ，１１０Ｙおよび１１０Ｋと、現像ユニット１２０Ｍ，１２０Ｃ，１２０Ｙおよび１２０Ｋとを備えている。また、各トナー像形成部の配置は、各感光体ユニット内の感光体ドラム１１１Ｍ，１１１Ｃ，１１１Ｙおよび１１１Ｋの回転軸が水平×軸（主走査方向）に平行になるように、且つ、転写紙移動方向ｙ（副走査方向）に所定ピッチの配列となるように、設定されている。
【００３４】
また、レーザプリンタ１００は、上記トナー像形成ユニットのほか、レーザ走査によるレーザ露光ユニット１０２、給紙カセット１０３，１０４、レジストローラ対１０５、転写紙を担持して各トナー像形成部の転写位置を通過するように搬送する転写搬送ベルト１６０を有する転写ベルトユニット１０６、ベルト定着方式の定着ユニット１０７、排紙トレイ１０８，両面ドライブ（面反転）ユニット３３等を備えている。また、レーザプリンタ１００は、図示していない手差しトレイ、トナー補給容器、廃トナーボトル、なども備えている。
【００３５】
レーザ露光ユニット１０２は、レーザ発光器４１Ｍ，４１Ｃ，４１Ｙ，４１Ｋ、ポリゴンミラー、ｆ−θレンズ、反射ミラー等を備え、画像データに基づいて各感光体ドラム１１１Ｍ，１１１Ｃ，１１１Ｙおよび１１１Ｋの表面にレーザ光を、紙面に垂直な主走査×方向に振り走査しながら照射する。
【００３６】
図３上の一点鎖線は、転写紙の搬送経路を示している。給紙カセット１０３，１０４から給送された転写紙は、図示しない搬送ガイドで案内されながら搬送ローラで搬送され、レジストローラ対１０５に送られる。このレジストローラ対１０５により所定のタイミングで転写搬送ベルト１６０に送出された転写紙は転写搬送ベルト１６０で担持され、各トナー像形成部の転写位置を通過するように搬送される。
【００３７】
各トナー像形成部の感光体ドラム１１１Ｍ，１１１Ｃ，１１１Ｙおよび１１１Ｋに形成されたトナー像が、転写搬送ベルト１６０で担持され搬送される転写紙に転写され、各色トナー像の重ね合わせ即ちカラー画像が形成された転写紙は、定着ユニット１０７に送られる。すなわち転写は、転写紙上にじかにトナー像を転写する直接転写方式である。定着ユニット１０７を通過する時トナー像が転写紙に定着する。トナー像が定着した転写紙は、排紙トレイ１０８，フィニッシャ３６又は両面ドライブユニット３３に排出又は送給される。
【００３８】
イエローＹのトナー像形成ユニットの概要を次に説明する。他のトナー像形成ユニットも、イエローＹのものと同様な構成である。イエローＹのトナー像形成ユニットは、前述のように感光体ユニット１１０Ｙ及び現像ユニット１２０Ｙを備えている。感光体ユニット１１０Ｙは、感光体ドラム１１１Ｙのほか、感光体ドラム表面に潤滑剤を塗布するブラシローラ，感光体ドラム表面をクリーニングする揺動可能なブレード，感光体ドラム表面に光を照射する除電ランプ，感光体ドラム表面を一様帯電する非接触型の帯電ローラ、等を備えている。
【００３９】
感光体ユニット１１０Ｙにおいて、交流電圧が印加された帯電ローラにより一様帯電された感光体ドラム１１１Ｙの表面に、レーザ露光ユニット１０２で、プリントデータに基づいて変調されポリゴンミラーで偏向されたレーザ光Ｌが走査されながら照射されると、感光体ドラム１１１Ｙの表面に静電潜像が形成される。感光体ドラム１１ＩＹ上の静電潜像は、現像ユニット２０Ｙで現像されてイエローＹのトナー像となる。転写搬送ベルト１６０上の転写紙が通過する転写位置では、感光体ドラム１１ＩＹ上のトナー像が転写紙に転写される。トナ−像が転写された後の感光体ドラム１１１Ｙの表面は、ブラシローラで所定量の潤滑剤が塗布された後、ブレードでクリーニングされ、除電ランプから照射された光によって除電され、次の静電潜像の形成に備えられる。
【００４０】
現像ユニット１２０Ｙは、磁性キャリア及びマイナス帯電のトナーを含む二成分現像剤を収納している。そして、現像ケース１２０Ｙの感光体ドラム側の開口から一部露出するように配設された現像ローラや、搬送スクリュウ、ドクタブレード、トナー濃度センサ，粉体ポンプ等を備えている。現像ケース内に収容された現像剤は、搬送スクリュウで攪拌搬送されることにより摩擦帯電する。そして、現像剤の一部が現像ローラの表面に担持される。ドクタブレードが現像ローラの表面の現像剤の層厚を均一に規制し、現像ローラの表面の現像剤中のトナーが感光体ドラムに移り、これにより静電潜像に対応するトナー像が感光体ドラム１１１Ｙ上に現われる。現像ケース内の現像剤のトナー濃度はトナー濃度センサで検知される。濃度不足の時には、粉体ポンプが駆動されてトナーが補給される。
【００４１】
転写ベルトユニット１０６の転写搬送ベルト１６０は、各トナー像形成部の感光体ドラム１１１Ｍ，１１１Ｃ，１１１Ｙおよび１１１Ｋに接触対向する各転写位置を通過するように、４つの接地された張架ローラに掛け回されている。張架ローラの１つが１０９である。これらの張架ローラのうち、２点鎖線矢印で示す転写紙移動方向上流側の入口ローラには、電源から所定電圧が印加された静電吸着ローラが対向するように配置されている。これらの２つのローラの間を通過した転写紙は、転写搬送ベルト１６０上に静電吸着される。また、転写紙移動方向下流側の出口ローラは、転写搬送ベルトを摩擦駆動する駆動ローラであり、図示しない駆動源に接続されている。また、転写搬送ベルト１６０の外周面には、電源から所定のクリーニング用電圧が印加されたバイアスローラが接触するように配置されている。このバイアスローラにより転写搬送ベルト１６０上に付着したトナー等の異物が除去される。
【００４２】
また、感光体ドラム１１１Ｍ，１１１Ｃ，１１１Ｙおよび１１１Ｋに接触対向する接触対向部を形成している転写搬送ベルト１６０の裏面に接触するように、転写バイアス印加部材を設けている。これらの転写バイアス印加部材は、マイラ製の固定ブラシであり、各転写バイアス電源から転写バイアスが印加される。この転写バイアス印加部材で印加された転写バイアスにより、転写搬送ベルト１６０に転写電荷が付与され、各転写位置において転写搬送ベルト１６０と感光体ドラム表面との間に所定強度の転写電界が形成される。
【００４３】
転写搬送ベルト１６０で搬送され、感光体ドラム１１１Ｍ，１１１Ｃ，１１１Ｙおよび１１１Ｋに形成された各色トナー像が転写された用紙は、定着装置１０７に送り込まれてそこで、トナー像が加熱，加圧によって用紙に熱定着される。熱定着後、用紙は左側板の上部のフィニッシャ３４への排紙口３４ｏｔからフィニッシャ３４に送り込まれる。又は、プリンタ本体の上面の排紙トレイ１０８に排出される。
【００４４】
４個の感光体ドラムの中の、マゼンダ像，シアン像およびイエロー像形成用の感光体ドラム１１１Ｍ，１１１Ｃおよび１１１Ｙは、図示しないカラードラム駆動用の１個の電気モータ（カラードラムモータ；カラードラムＭ：図示略）により、動力伝達系及び減速機（図示略）を介して１段減速にて駆動される。ブラック像形成用の感光体ドラム１１１Ｋはブラックドラム駆動用の１個の電気モータ（Ｋドラムモータ：図示略）により、動力伝達系及び減速機（図示略）を介して１段減速にて駆動される。また、転写搬送ベルト１６０は、上記Ｋドラムモータによる動力伝達系を介した転写駆動ローラの駆動により、回動移動する。従って、上記Ｋドラムモータは、Ｋ感光体ドラム１１Ｋと転写搬送ベルト６０を駆動し、上記カラードラムモータは、Ｍ，Ｃ，Ｙ感光体ドラム１１Ｍ，１１Ｃ，１１Ｙを駆動する。
【００４５】
また、Ｋ現像器１２０Ｋは、定着ユニット１０７を駆動している電気モータ（図示略）で、動力伝達系およびクラッチ（図示略）を介して駆動される。Ｍ，Ｃ，Ｙ現像器１２０Ｍ，１２０Ｃ，１２０Ｙは、レジストローラ１０５を駆動する電気モータ（図示略）で、動力伝達系およびクラッチ（図示略）を介して駆動される。現像器１２０Ｍ，１２０Ｃ，１２０Ｙ，１２０Ｋは絶えず駆動されている訳ではなく、所定タイミングを持って駆動出来る様、上記クラッチにより駆動伝達を受ける。
【００４６】
再度図１を参照する。フィニッシャ３４は、スタッカトレイすなわち積載降下トレイ３４ｈｓおよびソートトレイ群３４ｓｔを持ち、積載降下トレイ３４ｈｓに用紙（プリント済紙，転写済紙）を排出するスタッカ排紙モードと、ソートトレイ群３４ｓｔに排紙するソータ排紙モードを持つ。
【００４７】
プリンタ１００からフィニッシャ３４に送り込まれた用紙は、左上方向に搬送されそして上下逆Ｕ字型の搬送路を経て、下向きに搬送方向を切換えてから、設定されているモードに応じて、スタッカ排紙モードのときには排出口から積載降下トレイ３４ｈｓに排出される。ソータ排紙モードのときには、ソータトレイ群３４ｓｔの、そのとき排出中の用紙が割り当てられたソータトレイに排出される。
【００４８】
ソータ排紙モードが指定されるとフィニッシャ内排紙コントローラは、最下部の重ね待避位置に置いたソートトレイ群３４ｓｔを、図１上で２点鎖線で示す使用位置に上駆動し、ソータトレイ間の間隔を広げる。ソータ排紙モードでは、１回（一人）の設定枚数の複写又はプリントは、部ソートにソータ排紙モードが設定されているときには、同一原稿（画像）をプリントした各転写紙をソートトレイ群３４ｓｔの各トレイに仕分け収納する。頁ソートにソータ排紙モードが設定されているときには、各トレイを各頁（画像）に割り当てて、同一頁をプリントした各転写紙を１つのソートトレイに積載する。
【００４９】
図４に、図１に示す複写機の画像処理系統のシステム構成を示す。このシステムでは、読取ユニット１１と画像データ出力Ｉ／Ｆ（Interface：インターフェイス）１２でなるカラー原稿スキャナ１２が、画像データ処理装置ＡＣＰの画像データインターフェース制御ＣＤＩＣ（以下単にＣＤＩＣと表記）に接続されている。画像データ処理装置ＡＣＰにはまた、カラープリンタ１００が接続されている。カラープリンタ１００は、画像データ処理装置ＡＣＰの画像データ処理器ＩＰＰ（Image Processing Processor；以下では単にＩＰＰと記述）から、書込みＩ／Ｆ１３４に記録画像データを受けて、作像ユニット１３５でプリントアウトする。作像ユニット１３５は、図３に示すものである。
【００５０】
画像データ処理装置ＡＣＰ（以下では単にＡＣＰと記述）は、パラレルバスＰｂ，メモリアクセス制御ＩＭＡＣ（以下では単にＩＭＡＣと記述），画像メモリであるメモリモジュール（以下では単にＭＥＭと記述），不揮発メモリであるハードディスク装置ＨＤＤ（以下では単にＨＤＤと記述），システムコントローラ１，ＲＡＭ４，不揮発メモリ５，フォントＲＯＭ６，ＣＤＩＣ，ＩＰＰ等、を備える。パラレルバスＰｂには、ファクシミリ制御ユニットＦＣＵ（以下単にＦＣＵと記述）を接続している。操作ボード２０はシステムコントローラ１に接続している。
【００５１】
カラー原稿スキャナ１０の、原稿を光学的に読み取る読取ユニット１１は、原稿に対するランプ照射の反射光を、センサボードユニットＳＢＵ（以下では単にＳＢＵと表記）上の、ＣＣＤ２０７（図２）で光電変換してＲ，Ｇ，Ｂ画像信号を生成し、Ａ／ＤコンバータでＲＧＢ画像データに変換し、そしてシェーディング補正して、出力Ｉ／Ｆ１２を介してＣＤＩＣに送出する。ＲＧＢ画像データは、３ビット以上の構成の多階調を表す多値画像データ（例えば８ビット構成）である。
【００５２】
ＣＤＩＣは、画像データに関し、原稿スキャナ１０（出力Ｉ／Ｆ１２），パラレルバスＰｂ，ＩＰＰ間のデータ転送、ならびに、プロセスコントローラ１３１とＡＣＰの全体制御を司るシステムコントローラ１との間の通信をおこなう。また、ＲＡＭ１３２はプロセスコントローラ１３１のワークエリアとして使用され、ＲＯＭ１３３はプロセスコントローラ１３１の動作プログラム等を記憶している。
【００５３】
メモリアクセス制御ＩＭＡＣ（以下では単にＩＭＡＣと記述）は、ＭＥＭおよびＨＤＤに対する画像データおよび制御データの書き込み／読み出しを制御する。システムコントローラ１は、パラレルバスＰｂに接続される各構成部の動作を制御する。また、ＲＡＭ４はシステムコントローラ１のワークエリアとして使用され、不揮発メモリ５はシステムコントローラ１の動作プログラム等を記憶している。
【００５４】
操作ボード２０は、ＡＣＰが行うべき処理を指示する。たとえば、処理の種類（複写、ファクシミリ送信、画像読込、プリント等）および処理の枚数等を入力する。これにより、画像データ制御情報の入力をおこなうことができる。
【００５５】
スキャナ１０の読取ユニット１１より読み取った画像データは、スキャナ１０のＳＢＵでシェーディング補正２１０を施してから、ＩＰＰで、ノイズライン除去，地肌除去，スキャナガンマ補正，フィルタ処理などの、読取り歪を補正する画像処理を施してから、ＭＥＭ又はＨＤＤに蓄積する。ＭＥＭ又はＨＤＤの画像データをプリントアウトするときには、ＩＰＰにおいてＲＧＢ信号をＹＭＣＫ信号に色変換し、プリンタガンマ変換，階調変換，および、ディザ処理もしくは誤差拡散処理などの階調処理などの画質処理をおこなう。画質処理後の画像データはＩＰＰから書込みＩ／Ｆ１３４に転送される。書込みＩ／Ｆ１３４は、階調処理された信号に対し、パルス幅とパワー変調によりレーザー制御をおこなう。その後、画像データは作像ユニット１３５へ送られ、作像ユニット１３５が転写紙上に再生画像を形成する。
【００５６】
ＩＭＡＣは、システムコントローラ１の制御に基づいて、画像データとＭＥＭ又はＨＤＤのアクセス制御，ＬＡＮ上に接続したパソコンＰＣ（以下では単にＰＣと表記）のプリント用データの展開，ＭＥＭおよびＨＤＤの有効活用のための画像データの圧縮／伸張をおこなう。
【００５７】
ＩＭＡＣへ送られた画像データは、データ圧縮後、ＭＥＭ又はＨＤＤに蓄積され、蓄積された画像データは必要に応じて読み出される。読み出された画像データは、伸張され、本来の画像データに戻しＩＭＡＣからパラレルバスＰｂを経由してＣＤＩＣへ戻される。ＣＤＩＣからＩＰＰへの転送後は画質処理をして書込みＩ／Ｆ１３４に出力し、作像ユニット１３５において転写紙上に再生画像を形成する。
【００５８】
画像データの流れにおいて、パラレルバスＰｂおよびＣＤＩＣでのバス制御により、デジタル複合機の機能を実現する。ファクシミリ送信は、読取られた画像データをＩＰＰにて画像処理を実施し、ＣＤＩＣおよびパラレルバスＰｂを経由してＦＣＵへ転送することによりおこなわれる。ＦＣＵは、通信網へのデータ変換をおこない、それを公衆回線ＰＮへファクシミリデータとして送信する。ファクシミリ受信は、公衆回線ＰＮからの回線データをＦＣＵにて画像データへ変換し、パラレルバスＰｂおよびＣＤＩＣを経由してＩＰＰへ転送することによりおこなわれる。この場合、特別な画質処理はおこなわず、書込みＩ／Ｆ１３４から出力し、作像ユニット１３５において転写紙上に再生画像を形成する。
【００５９】
複数ジョブ、たとえば、コピー機能，ファクシミリ送受信機能，プリンタ出力機能が並行に動作する状況において、読取ユニット１１，作像ユニット１３５およびパラレルバスＰｂの使用権のジョブへの割り振りは、システムコントローラ１およびプロセスコントローラ１３１において制御する。プロセスコントローラ１３１は画像データの流れを制御し、システムコントローラ１はシステム全体を制御し、各リソースの起動を管理する。また、デジタル複合機の機能選択は、操作ボード２０においておこなわれ、操作ボード２０の選択入力によって、コピー機能，ファクシミリ機能等の処理内容を設定する。
【００６０】
システムコントローラ１とプロセスコントローラ１３１は、パラレルバスＰｂ，ＣＤＩＣおよびシリアルバスＳｂを介して相互に通信をおこなう。具体的には、ＣＤＩＣ内においてパラレルバスＰｂとシリアルバスＳｂとのデータ，インターフェースのためのデータフォーマット変換をおこなうことにより、システムコントローラ１とプロセスコントローラ１３１間の通信を行う。
【００６１】
各種バスインターフェース、たとえばパラレルバスＩ／Ｆ  ７、シリアルバスＩ／Ｆ  ９、ローカルバスＩ／Ｆ  ３およびネットワークＩ／Ｆ  ８は、ＩＭＡＣに接続されている。コントローラーユニット１は、ＡＣＰ全体の中での独立性を保つために、複数種類のバス経由で関連ユニットと接続する。
【００６２】
システムコントローラ１は、パラレルバスＰｂを介して他の機能ユニットの制御をおこなう。また、パラレルバスＰｂは画像データの転送に供される。システムコントローラ１は、ＩＭＡＣに対して、画像データをＭＥＭ，ＨＤＤに蓄積させるための動作制御指令を発する。この動作制御指令は、ＩＭＡＣ，パラレルバスＩ／Ｆ  ７、パラレルバスＰｂを経由して送られる。
【００６３】
この動作制御指令に応答して、画像データはＣＤＩＣからパラレルバスＰｂおよびパラレルバスＩ／Ｆ  ７を介してＩＭＡＣに送られる。そして、画像データはＩＭＡＣの制御によりＭＥＭ又はＨＤＤに格納されることになる。
【００６４】
一方、ＡＣＰのシステムコントローラ１は、ＰＣからのプリンタ機能としての呼び出しの場合、プリンタコントローラとネットワーク制御およびシリアルバス制御として機能する。ネットワークＢ経由の場合、ＩＭＡＣはネットワークＩ／Ｆ  ８を介して、ネットワークＢ経由のプリント出力要求データあるいは蓄積（保存）要求データを受け取る。ネットワークＢ経由の要求データ（外来コマンド）はシステムコントローラ１に報知し、それに応答するシステムコントローラ１からのコマンドに従って、ＩＭＡＣは、ネットワークＢ経由の蓄積データの転送又は受信蓄積を行う。
【００６５】
汎用的なシリアルバス接続の場合、ＩＭＡＣはシリアルバスＩ／Ｆ  ９経由でプリント出力要求データを受け取る。汎用のシリアルバスＩ／Ｆ  ９は複数種類の規格に対応しており、たとえばＵＳＢ（Ｕｎｉｖｅｒｓａｌ  Ｓｅｒｉａｌ  Ｂｕｓ）、１２８４または１３９４等の規格のインターフェースに対応する。
【００６６】
ＰＣからのプリント出力要求データはシステムコントローラ１により画像データに展開される。その展開先はＭＥＭ内のエリアである。展開に必要なフォントデータは、ローカルバスＩ／Ｆ  ３およびローカルバスＲｂ経由でフォントＲＯＭ６を参照することにより得られる。ローカルバスＲｂは、このコントローラ１を不揮発メモリ５およびＲＡＭ４と接続する。
【００６７】
シリアルバスＳｂに関しては、ＰＣとの接続のための外部シリアルポート２以外に、ＡＣＰの操作部である操作ボード２０との転送のためのインターフェースもある。これはプリント展開データではなく、ＩＭＡＣ経由でシステムコントローラ１と通信し、処理手順の受け付け、システム状態の表示等をおこなう。
【００６８】
システムコントローラ１と、ＭＥＭ，ＨＤＤおよび各種バスとのデータ送受信は、ＩＭＡＣを経由しておこなわれる。ＭＥＭおよびＨＤＤを使用するジョブはＡＣＰ全体の中で一元管理される。
【００６９】
図５に、ＣＤＩＣの機能構成の概要を示す。画像データ入出力制御１６１は、カラー原稿スキャナ１０（ＳＢＵ）が出力する画像データを受けて、ＩＰＰに出力する。ＩＰＰは、「スキャナ画像処理」１９０（図７）をして、ＣＤＩＣの画像データ入力制御１６２に送りだす。画像データ入力制御１６２が受けたデータは、パラレルバスＰｂでの転送効率を高めるためにデータ圧縮部１６３に於いて、画像データの１次圧縮を行う。圧縮した画像デ−タは、データ変換部１６４でパラレルデータに変換してパラレルデータＩ／Ｆ１６５を介してパラレルバスＰｂへ送出される。パラレルデータバスＰｂからパラレルデータＩ／Ｆ１６５を介して入力される画像データは、データ変換部１６４でシリアル変換される。このデータは、バス転送のために１次圧縮されており、データ伸張部１６６で伸張される。伸張された画像データは、画像データ出力制御１６７によってＩＰＰへ転送される。ＩＰＰでは、「画質処理」３００（図７）によりＲＧＢ画像データをＹＭＣＫ画像データに変換し、プリンタ１００の画像出力用の画像データＹｐＭｐＣｐＫｐに変換してカラープリンタ１００に出力する。
【００７０】
ＣＤＩＣは、パラレルバスＰｂで転送するパラレルデータとシリアルバスＳｂで転送するシリアルデータの変換機能を併せ持つ。システムコントローラ１は、パラレルバスＰｂにデータを転送し、プロセスコントローラ１３１は、シリアルバスＳｂにデータを転送する。２つのコントローラ１，１３１の通信のために、デ−タ変換部１６４およびシリアルデ−タＩ／Ｆ１６９で、パラレル／シリアルデータ変換を行う。シリアルデータＩ／Ｆ１６８は、ＩＰＰ用であり、ＩＰＰともシリアルデ−タ転送する。
【００７１】
図６に、ＩＭＡＣの構成の概略を示す。ＩＭＡＣは、アクセス制御１７２、メモリ制御１７３、２次圧縮／伸張モジュール１７６、画像編集モジュール１７７、システムＩ／Ｆ  １７９、ローカルバス制御１８０、パラレルバス制御１７１、シリアルポート制御１７５、シリアルポート１７４およびネットワーク制御１７８を備えている。２次圧縮／伸張モジュール１７６、画像編集モジュール１７７、パラレルバス制御１７１、シリアルポート制御１７５およびネットワーク制御１７８は、それぞれＤＭＡＣ（ダイレクトメモリアクセス制御）を介してアクセス制御１７２に接続されている。
【００７２】
システムＩ／Ｆ  １７９はシステムコントローラ１に対する命令またはデータの送受信をおこなう。基本的に、システムコントローラ１はＡＣＰ全体を制御する。また、システムコントローラ１はＭＥＭ，ＨＤＤの資源配分を管理し、他のユニットの制御は、システムＩ／Ｆ  １７９、パラレルバス制御１７１およびパラレルバスＰｂを介しておこなう。
【００７３】
ＡＣＰの各ユニットは基本的にパラレルバスＰｂに接続されている。したがって、パラレルバス制御１７１は、バス占有の制御をおこなうことによってシステムコントローラ１およびＭＥＭ，ＨＤＤに対するデータの送受信を管理する。
【００７４】
ネットワーク制御１７８は、ＬＡＮとの接続を制御する。ネットワーク制御１７８は、ネットワークに接続された外部拡張機器に対するデータの送受信を管理する。ここで、システムコントローラ１は、ネットワーク上の接続機器の動作管理には関与しないが、ＩＭＡＣにおけるインターフェースについては制御をおこなう。特に限定しないが、本実施例では、１００ＢＡＳＥ−Ｔに対する制御が付加されている。
【００７５】
シリアルバスに接続されるシリアルポート１７４は複数のポートを備えている。シリアルポート制御１７５は、用意されているバスの種類に対応する数のポート制御機構を備えている。特に限定しないが、本実施例では、ＵＳＢおよび１２８４に対するポート制御を行う。また、外部シリアルポートとは別に、操作部とのコマンド受け付けまたは表示に関するデータの送受信の制御を行う。
【００７６】
ローカルバス制御１８０は、システムコントローラ１を起動させるために必要なＲＡＭ４，不揮発メモリ５およびプリンタコードデータを展開するフォントＲＯＭ６が接続されたローカルシリアルバスＲｂとのインターフェースをおこなう。
【００７７】
動作制御は、システムＩ／Ｆ  １７９からシステムコントローラ１によるコマンド制御を実施する。データ制御はＭＥＭ，ＨＤＤを中心に、外部ユニットからのＭＥＭ，ＨＤＤアクセスを管理する。画像データはＣＤＩＣからパラレルバスＰｂを介してＩＭＡＣに転送される。そして、その画像データはパラレルバス制御１７１においてＩＭＡＣ内に取り込まれる。
【００７８】
取り込まれた画像データのメモリアクセスは、システムコントローラ１の管理から離れる。すなわち、そのメモリアクセスは、システム制御から独立してダイレクトメモリアクセス制御（ＤＭＡＣ）によりおこなわれる。ＭＥＭ，ＨＤＤへのアクセスについて、アクセス制御１７２は複数ユニットからのアクセス要求の調停をおこなう。そして、メモリ制御１７３は、ＭＥＭ，ＨＤＤのアクセス動作またはデータの読み出し／書き込みを制御する。
【００７９】
ネットワークからＭＥＭ，ＨＤＤへアクセスする場合、ネットワークからネットワーク制御１７８を介してＩＭＡＣ内に取り込まれたデータは、ダイレクトメモリアクセス制御ＤＭＡＣによりＭＥＭ，ＨＤＤへ転送される。アクセス制御１７２は、複数ジョブでのＭＥＭ，ＨＤＤへのアクセスの調停をおこなう。メモリ制御１７３は、ＭＥＭ，ＨＤＤに対するデータの読み出し／書き込みをおこなう。
【００８０】
シリアルバスからＭＥＭ，ＨＤＤへアクセスする場合、シリアルポート制御１７５によりシリアルポート１７４を介してＩＭＡＣ内に取り込まれたデータは、ダイレクトメモリアクセス制御ＤＭＡＣによりＭＥＭ，ＨＤＤへ転送される。アクセス制御１７２は、複数ジョブでのＭＥＭ，ＨＤＤへのアクセスの調停をおこなう。メモリ制御１７３は、ＭＥＭ，ＨＤＤに対するデータの読み出し／書き込みをおこなう。
【００８１】
ネットワークまたはシリアルバスに接続されたＰＣからのプリント出力データは、システムコントローラ１により、ローカルバス上のフオントデータを用いて、ＭＥＭ，ＨＤＤ内のメモリエリアに展開される。
【００８２】
各外部ユニットとのインターフェースについては、システムコントローラ１が管理する。ＩＭＡＣ内に取り込まれた後のデータ転送については、図６に示すそれぞれのＤＭＡＣがメモリアクセスを管理する。この場合、各ＤＭＡＣは、お互いに独立してデータ転送を実行するため、アクセス制御１７２は、ＭＥＭ，ＨＤＤへのアクセスに関するジョブの衝突、または各アクセス要求に対する優先付けをおこなう。
【００８３】
ここで、ＭＥＭ，ＨＤＤへのアクセスには、各ＤＭＡＣによるアクセスの他に、格納データのビットマップ展開のためにシステムＩ／Ｆ  １７９を介してシステムコントローラ１からのアクセスも含まれる。アクセス制御１７２において、ＭＥＭ，ＨＤＤへのアクセスが許可されたＤＭＡＣデータ、またはシステムＩ／Ｆ  １７９からのデータは、メモリ制御１７３によりＭＥＭ，ＨＤＤに直接転送される。
【００８４】
ＩＭＡＣは、その内部でのデータ加工に関して２次圧縮／伸張モジュール１７６および画像編集モジュール１７７を有する。２次圧縮／伸張モジュール１７６は、画像データまたはコードデータをＭＥＭ，ＨＤＤへ有効に蓄積できるようにデータの圧縮および伸張をおこなう。２次圧縮／伸張モジュール１７６はＤＭＡＣによりＭＥＭ，ＨＤＤとのインターフェースを制御する。
【００８５】
ＭＥＭ，ＨＤＤに一旦格納された画像データは、ダイレクトメモリアクセス制御ＤＭＡＣによりＭＥＭ，ＨＤＤからメモリ制御１７３、アクセス制御１７２を介して２次圧縮／伸張モジュール１７６に呼び出される。そこでデータ変換された画像データは、ダイレクトメモリアクセス制御ＤＭＡＣにより、ＭＥＭ，ＨＤＤへ戻されるか、外部バスへ出力される。
【００８６】
画像編集モジュール１７７は、ＤＭＡＣによりＭＥＭ，ＨＤＤを制御し、ＭＥＭ，ＨＤＤ内でのデータ加工をおこなう。具体的には、画像編集モジュール１７７は、メモリ領域のクリアの他に、データ加工として画像データの回転処理，異なる画像同士の合成などをおこなう。画像編集モジュール１７７は、ＭＥＭ，ＨＤＤから２次圧縮データを読出して２次圧縮／伸張モジュール１７６で１次圧縮データに伸張し、モジュール１７７内で、ＣＤＩＣのデータ伸張１６３と同じ復号化ロジックで１次圧縮データを画像データに伸張してモジュール１７７内のメモリに展開し、それを加工する。加工した画像データは、ＣＤＩＣの１次圧縮ロジックと同じ符号化ロジックで１次圧縮して、２次圧縮／伸張モジュール１７６で更に２次圧縮してＭＥＭ，ＨＤＤに書込む。
【００８７】
図７に、ＩＰＰの画像処理概略を示す。読み取り画像はＳＢＵ，ＣＤＩＣを介してＩＰＰの入力Ｉ／Ｆ（インターフェース）から「スキャナ画像処理」１９０へ伝達される。この「スキャナ画像処理」１９０は、読み取り画像信号の読み取り劣化補正が目的で、シェーディング補正を行った後にスキャナガンマ変換等を行った後にＣＤＩＣにデータは転送されて、ＭＥＭでの蓄積が行われる。ＭＥＭに蓄積し、そして読み出された画像データは、ＣＤＩＣを経由して再びＩＰＰに転送される。そして「画質処理」３００が行われる。
【００８８】
図８に、ＩＰＰの画像処理機能の概要を示す。ＩＰＰは、ノイズライン除去１９２，分離生成（画像が文字領域か写真領域かの判定：像域分離）１９３，地肌除去１９４，スキャナガンマ変換１９５，フィルタ１９６，色補正３０２，変倍３０３，画像加工３０４，プリンタガンマ変換３０５および階調処理６０６を行う。ＩＰＰは画像処理をおこなうプログラマブルな演算処理手段である。スキャナ１０の出力Ｉ／Ｆ１２からＣＤＩＣに入力された画像データは、ＣＤＩＣを経由してＩＰＰに転送され、ＩＰＰにて光学系およびデジタル信号への量子化に伴う信号劣化（スキャナ系の信号劣化）を補正され、再度、ＣＤＩＣへ出力（送信）される。ＣＤＩＣからＩＰＰへ戻される画像データに対して、ＩＰＰにおいては、「画質処理」３００を行う。「画質処理」３００では、色補正３０２でＲＧＢ信号をＹＭＣＫ信号に色変換し、変倍３０３，画像加工３０４，プリンタガンマ変換３０５および、階調変換，ディザ処理もしくは誤差拡散処理などの階調処理３０６などをおこなう。ノイズライン除去処理を実行するハードウェアとしては、プログラムを入れかえることで処理の内容が変更出来るプロセッサが好ましい。そこでプログラマブルなＳＩＭＤプロセッサを主体とするＩＰＰを用いた。
【００８９】
図９に、ＩＰＰの概要を示す。ＩＰＰには、多値画像データを１ライン分以上保持することが出来、また画素密度（ｄｐｉ）変換機能があるバッファメモリ装置ＢＭＤ、および、プログラマブルなＳＩＭＤプロセッサＩＰＰ１〜ＩＰＰ５がある。ＳＩＭＤプロセッサＩＰＰ１〜ＩＰＰ５は同一仕様である。すなわち同一ハードウェアで同一機能である。ＩＰＰは、スキャナ１０が発生する８ビット構成の多値画像データを、３００ｄｐｉで読み取ったＡ４版短辺長（Ａ４横幅）の１ライン分の画像データの全てを、５ブロックに分割して、各ブロックをＳＩＭＤプロセッサＩＰＰ１〜ＩＰＰ５に与えて、ＩＰＰ１〜ＩＰＰ５で１ライン上の全画素の多値画像データを、同時に並行して処理する。すなわち、Ａ４横幅を３００ｄｐｉで読み取った１ライン（２４８０画素）分の画像データの全てを同時並行処理するために５個のＳＩＭＤプロセッサＩＰＰ１〜ＩＰＰ５を備えている。
【００９０】
図１０に、１つのＳＩＭＤプロセッサＩＰＰ１の内部構成の概要を示す。ＩＰＰ１は、スキャナ１０の出力Ｉ／ＦからＣＤＩＣを介して、更にバッファメモリ装置ＢＭＤを介しての画像データの受け入れならびに、該バッファメモリ装置ＢＭＤを介してのＣＤＩＣに対する画像データの入出力は入出力ポート１４１で行う。入出力画像データは、バススイッチおよびバッファメモリを含むデータバッファ又は入出力データレジスタ１４２に一旦格納してから、ＳＩＭＤ型プロセッサ１４３のメモリ制御を介してプロセッサアレイ１４４に入力され、あるいはバッファメモリ装置ＢＭＤを介してＣＤＩＣに出力される。ＩＰＰ１を制御するデータならびにＩＰＰ１の画像処理プログラム（プログラムと処理パラメータ）は、ＨＤＤにあり、システムコントローラ１，ＣＤＩＣあるいはプロセスコントローラ１３１の転送制御によって、ホストバッファ１４７に与えられ、データＲＡＭ１４６およびプログラムＲＡＭ１４５に書込まれる。
【００９１】
図１１に示す様に、操作ボード２０には、液晶タッチパネル７９のほかに、テンキー８０ａ，クリア／ストップキー８０ｂ，スタートキー８０ｃ，初期設定キー８０ｄ，モードクリアキー８０ｅ，テスト印刷キー８０ｆがある。テスト印刷キー８０ｆは、設定されている印刷部数に関わらず１部だけを印刷し、印刷結果を確認するためのキーである。初期設定キー８０ｄを押す事で、機械の初期状態を任意にカスタマイズする事が可能である。機械が収納している用紙サイズを設定したり、コピー機能のリセットキーを押したときに設定される状態を任意に設定可能である。初期設定キ−８０ｄが操作されると、各種初期値を設定するための「初期値設定」機能ならびに「パスワード登録」機能，「著作権登録／設定」機能および「使用実績の出力」機能等を指定するための選択ボタンが表示される。「初期値設定」機能を用いて、一定時間操作が無いときに優先して選択されるアプリケーション等も選択する事、国際エネルギースター計画に従った低電力への移行時間の設定や、オートオフ／スリープモードへの移行する時間を設定する事が可能である。
【００９２】
液晶タッチパネル７９には、各種機能キー及び画像形成装置の状態を示すメッセージなどが表示される。液晶タッチパネル７９には、「コピー」機能，「スキャナ」（スキャナ配信）機能，「プリント」機能，「ファクシミリ」機能，「蓄積」機能，「編集」機能，「登録」機能およびその他の機能選択用および実行中を表わす機能選択キー８０ｇが表示される。なお、「蓄積」機能は、原稿スキャナ１０で読み取った原稿の画像データ，ファクシミリ受信データおよびＰＣからの書画をＨＤＤの蓄積領域に記憶する機能である。「登録」機能は、ＨＤＤの登録領域に記憶する機能であり、ＨＤＤの蓄積領域に記憶した書画のうち、多くのユーザが使用する共通性が高い書画や、長期保存したい書画や、特別な管理を設定したい書画をＨＤＤの登録領域に記憶する機能である。
【００９３】
液晶タッチパネル７９には、機能選択キー８０ｇで指定された機能に定まった入出力画面が表示され、例えば「複写」機能が指定されているときには、図１１に示すように、機能キー７９ａ，７９ｂならびに部数及び画像形成装置の状態を示すメッセージが表示される。オペレータが液晶タッチパネル７９に表示されたキーにタッチする事で、選択された機能を示すキーが灰色に反転する。また、機能の詳細を指定しなければならない場合（例えばページ印字の種類等）はキーにタッチする事で詳細機能の設定画面が表示される。このように、液晶タッチパネルは、ドット表示器を使用している為、その時の最適な表示をグラフィカルに行う事が可能である。
【００９４】
図１２に、システムコントローラ１の、操作ボード２０のＣＰＵと共同して実行する、スタンバイモード／省エネモード間の切換え制御、および、プリンタ１００およびスキャナ１０の画質調整制御、を示す。
【００９５】
図１２を参照すると、商用交流電源（コンセント）と機内ＤＣ電源との間の元電源スイッチ７９が閉じてＤＣ電源が動作電圧を与えると、システムコントローラ１は、電源オン応答の初期化処理（ステップ１）をして、そこでスタンバイモードを設定する（ステップ２）。すなわち図示しない、定着器１０７その他の比較的に高電力消費の機器に作像動作電圧を出力する電源回路内の出力スイッチをオンする。
【００９６】
なお、以下においては、カッコ内にはステップと言う語を省略してステップ番号数字のみを記す。
【００９７】
そして、ＡＣＰ内の不揮発メモリに退避していた、操作ボード２０の処理モード設定データを、ＲＡＭの処理モード入力レジスタ（ＲＡＭの１メモリ領域）に書き込み、該処理モード設定を操作ボード２０に指示する（３）。操作ボード２０のＣＰＵがシステムコントローラ１の指示に応じて、該処理モード設定を、操作ボード２０の液晶ディスプレイ７９に表示する。
【００９８】
次いでシステムコントローラ１は、ＲＡＭの処理モード入力レジスタに書き込んだ設定モードを参照して、それが「印刷」モードであると、「印刷画質調整」（５）に、「ファクシミリ印刷」（受信書画印刷）モードであると「Ｋ印刷画質調整」（８）に、「コピー」モードであると図１３の「コピー画質調整」（２１）に、「スキャナ」モードであると図１３の「スキャナ読取調整」（１７）に、また、「ファクシミリ」（原稿送信）モードであると図１３の「モノクロ読取調整」（２０）に、進む。
【００９９】
図１２を再度参照する。「印刷画質調整」（５）に進んだときには、ＲＡＭの処理モード入力レジスタの印刷色設定データを参照して（６）、それがカラーであると、「カラー印刷画質調整」（７）に進み、そこで、印刷色設定データに付加されているカラー印刷画質調整要否データＦＰｃｅを参照して、それが画質調整要を表す「１」であると、「各色作像濃度調整」（７２）を実行し、色ずれ調整タイミングであるかを検索して（７３）、そうであると「各色画像位置調整」（７４）を実行する。これらを終えると、カラー印刷画質調整要否データＦＰｃｅを、カラー印刷画質調整不要を表す０に変更する。
【０１００】
この実施例では、「各色作像濃度調整」（７２）では、まず、Ｋ（黒），Ｙ，Ｃ，Ｍ各色作像ユニットを動作させて、各感光体ドラム１１１上に、各色トナー像（各色につき複数のパッチパターン）を形成する。ここで、感光体ドラム１１１上へのトナー像の形成は、帯電工程，露光工程および現像工程によっておこなわれる。次に、感光体ドラム１１１上に形成されたトナー像が、転写ベルト１０６上に転写される。これがトナー像である。ここで、複数のパッチパターンとしてのトナー像は、転写ベルト１０６の幅方向（副走査方向ｙに直交するｘ方向）の端部であって、図示を省略した光センサによる検出が可能な位置に、形成されるものである。さらに、これら複数のパッチパターン（トナー像）は、画像濃度が段階的に異なるように、現像バイアスを変化させて形成されるものである。そして、画像濃度がそれぞれ異なるように形成されたトナー像は、転写ベルト１０６の矢印方向ｙの走行によって、光センサの位置を順次通過することになる。そして、光センサによって、それぞれのトナー像の画像濃度が検出される。該光センサは、発光素子と受光素子とからなり、検出対象物（この場合、トナー像）からの反射光量の大きさによって画像濃度を検出する。
【０１０１】
その後、光センサによる検出結果はプロセスコントローラ１３１に送信される。プロセスコントローラ１３１は、送信された検出結果に基づいて、画像濃度とそれに係わる作像条件との関係を、各色ごとに求める。具体的には、現像バイアスを変化させたときの画像濃度の変化を示す回帰直線を求める。そして、求めた結果に基づいて、最終的に、最適な画像濃度（目標画像濃度）を得るための各色の作像条件を決定する。最後に、各色につき、決定した作像条件に基づいて、現像バイアス，帯電電位，潜像電位のうち少なくとも１つを、決定した作像条件を満たす値に調整する。
【０１０２】
「各色画像位置調整」（７４）では、まず、Ｋ，Ｙ，Ｃ，Ｍ各色作像ユニットを動作させて、感光体ドラム１１１上に、各色につき複数のトナー像を形成する。次に、感光体ドラム１１１上に形成したトナー像を、転写ベルト１０６上に転写する。転写ベルト１０６上に等間隔に形成された複数のトナー像は、転写ベルト１０６の矢印方向ｙの走行によって、光センサの位置を順次通過することになる。光センサが、それぞれのトナー像を検出し、トナー像検出信号を参照してプロセスコントローラ１３１が、トナー像分布を算出する。詳しくは、隣接するトナー像のピッチや、トナー像の傾き等を算出して、転写ベルト１０６上におけるトナー像の位置ずれを算出する。そして、算出した位置ずれに基づいて、画像位置ずれのない最適な画像を得るための、各感光体ドラム上の作像位置を決定する。最後に、決定した作像位置に基づいて、各感光体ドラムに対する潜像の書込みタイミング，転写ベルト１０６の走行タイミング、のうち少なくとも１つを調整する。
【０１０３】
なお、色ずれ調整タイミングは、本実施例では、前回の色ずれ調整終了時から、カラー印刷の積算値が設定値以上になった、カラー印刷終了時，前回の色ずれ調整終了時からの時間経過が設定値以上になり、ユーザの使用待ちの状態の時、および、作像ユニットの交換あるいはトナーボトルの交換があった直後の電源オン直後、などである。
【０１０４】
設定モードが「印刷」ではあるが、カラー印刷でなかった場合又はモノクロ印刷設定であった場合、もしくは、「ファクシミリ印刷」モードであった場合には、「Ｋ印刷画質調整」（８）に進む。「Ｋ印刷画質調整」（８）ではまず、印刷色設定データに付加されているモノクロ印刷画質調整要否データＦＰｋｅを参照して、それが画質調整要を表す１であると、「Ｋ作像濃度調整」（８２）を実行し、これを終えると、モノクロ印刷画質調整要否データＦＰｋｅを、画質調整不要を表す０に変更する（８３）。「Ｋ作像濃度調整」（８２）は、前述の「各色作像濃度調整」（７２）の中の、Ｋ色の濃度調整のみを実行する。
【０１０５】
図１３に示す「スキャナ画質調整」（１７）に進んだときには、ＲＡＭの処理モード入力レジスタの読取色設定データを参照して（１８）、それがカラーであると、「カラー読取調整」（１９）に進み、そこではまず、読取色設定データに付加されているカラー読取画質調整要否データＦＳｃｅを参照して（１９１）、それが画質調整要を表す１であると、「カラー白レベル調整」（１９２）を実行し、これを終えると、カラー読取画質調整要否データＦＳｃｅを、画質調整不要を表す０に変更する（１９３）。
【０１０６】
「カラー白レベル調整」（１９２）では、ミラー２３３を搭載した第１キャリッジおよび第２キャリッジを基準白板２３９読取位置に駆動して照明灯２３２を点灯して、基準白板（白）をＣＣＤ２０７で読み取り、ＣＣＤ２０７のＲ，Ｇ，Ｂ各色読取信号を増幅する各増幅器のゲインを、増幅出力が設定値となる値に調整する。具体的には、この実施例では、特許文献４に記載の「カラー白レベル調整」を実施する。
【０１０７】
「スキャナ画質調整」（１７）に進んだとき印刷色設定データがカラーモードでなかったとき又はモノクロモードもしくはファクシミリ送信であったときは、「モノクロ読取調整」（２０）に進む。「モノクロ読取調整」（２０）では、印刷色設定データに付加されているモノクロ読取画質調整要否データＦＳｋｅを参照して（２０１）、それが画質調整要を表す１であると、「モノクロ白レベル調整」（２０２）を実行し、これを終えると、モノクロ読取画質調整要否データＦＳｋｅを、画質調整不要を表す０に変更する（２０３）。「モノクロ白レベル調整」（２０２）では、ミラー２３３を搭載した第１キャリッジおよび第２キャリッジを基準白板２３９読取位置に駆動して照明灯２３２を点灯して、基準白板（白）をＣＣＤ２０７で読み取り、ＣＣＤ２０７のＲ，Ｇ，Ｂ各色読取信号を増幅する各色増幅器のゲインを、簡略化した調整により、増幅出力が設定値となる値に調整する。具体的には、この実施例では、特許文献４に記載の「モノクロ白レベル調整」を実施する。「モノクロ白レベル調整」に要する時間は、「カラー白レベル調整」（１９２）に要する時間よりも格段に短い。
【０１０８】
設定モードがファクシミリ送信の場合には、上述の「モノクロ読取調整」（２０）を実行する。
【０１０９】
図１３に示す「コピー画質調整」（２１）に進んだときには、ＲＡＭの処理モード入力レジスタの印刷色設定データを参照して（２２）、それがカラーであると、「カラーコピー調整」（２３）を実行する。「カラーコピー調整」（２３）では、上述の「カラー読取調整」（１９）および「カラー印刷画質調整」（７）を実行する。印刷色設定データがカラーではないかもしくはモノクロであったときは、「モノクロコピー調整」（２４）を実行する。「モノクロコピー調整」（２４）では、上述の「モノクロ読取調整」（２０）および「Ｋ印刷画質調整」（８）を実行する。
【０１１０】
再度図１２を参照する。スタンバイモードを設定した直後の画質調整制御（印刷画質調整５，コピー画質調整２１又はスキャナ読取調整１７）を経過すると、システムコントローラ１は、スタンバイモードから省エネモードへの切換え待ち時間Ｔｄ１を時限値とするタイマＴｄ１をスタートし（９）、入力読取（１０）を行う。
【０１１１】
入力読取（１０）では、操作ボード２０のＣＰＵが操作ボード２０に対するユーザの操作（入力）を読み込んでシステムコントローラ１に報知し、また、システムコントローラ１が、パソコンＰＣおよびＦＣＵからのコマンドを解読する。操作ボード２０のＣＰＵは、操作ボード２０に対するユーザの操作に対応して、置数キーの押下の読込みと入力数字データの生成，スタートキーの押下の読込みと、スタート指示のシステムコントローラ１への転送，用紙サイズの切換え入力の読取りなど、通常の複写機の操作読取りおよび表示出力の制御を行う。操作読取により得たデータに、ＲＡＭの処理モード入力レジスタの処理モード設定データを更新する。
【０１１２】
スタンバイモードから省エネモードへの切換えの待ち時間Ｔｄ１は、操作部２０から入力できるものであり、入力値が操作ボード２０のＮＶＲＡＭに格納（登録）されているものである。
【０１１３】
「入力読取」（１０）で、指示入力、例えば、操作ボード２０に対するユーザの操作（置数キーの押下，スタートキーの押下，用紙サイズの切換え，その他），原稿スキャナ１０の原稿押えスイッチの閉（押え位置）から開（開き位置）への変化，ＡＤＦ３０での原稿検知，パソコンＰＣ又はＦＣＵからのプリントコマンド、を受けるとシステムコントローラ１は、指示入力に対応した処理に進む（１１，２５〜４０）。
【０１１４】
しかし指示入力がないと、タイマＴｄ１のタイムオーバを待つ（１２，２２）。指示入力が無くタイマＴｄ１がタイムオーバすると、システムコントローラ１は、ＲＡＭの処理モード入力レジスタの処理モード設定データをＡＣＰ内の不揮発メモリに退避（書き込み保持）して、省エネモードに移行する（１４）。すなわち図示しない、作像動作電圧を出力する電源回路内の出力スイッチをオフにする。
【０１１５】
スタンバイモードを設定しているときに操作ボード２０の、省エネ関係のモード切換えを指示するための電源キー８０ｈがオンすると、システムコントローラ１は、ユーザが省エネモードへの切換えを指示したとみなして、操作ボード２０の液晶ディスプレイに表示中の画像処理モード（ＲＡＭの処理モード入力レジスタの処理モード設定データ）を、ＡＣＰ内の不揮発メモリに退避し、省エネモードに移行する。
【０１１６】
省エネモードを設定しているときに操作ボード２０の電源キー８０ｈがオンするとシステムコントローラ１は、ユーザがスタンバイモードへの切換えを指示したとみなして、スタンバイモードを設定し（１５−１６−２）、ＡＣＰ内の不揮発メモリに退避している前回画像処理モードを読出してＲＡＭの処理モード入力レジスタにロード（再設定）するとともに、操作ボード２０の液晶ディスプレイに表示する（３）。
【０１１７】
「復帰条件入力読取」（１５）で指示入力を認知するとシステムコントローラ１は、指示入力が、操作ボード２０に対するユーザの操作，原稿スキャナ１０の原稿押えスイッチの閉から開への変化，ＡＤＦ３０での原稿検知など、複写使用を伺わせるものであると、或いは、パソコンＰＣ又はＦＣＵからのプリントコマンドであったときには、スタンバイモードに移行する（２）。
【０１１８】
スタンバイモードでの「入力読取」（１０）で、オペレータ或いはＰＣ又はＦＣＵの指示入力を読込むと、プロセスコントローラ１３１を介して、指示入力に対応した「印刷」，「ファクシミリ印刷」，「コピー」，「スキャナ」又は「ファクシミリ送信」を、図１３に示すステップ２５以下の処理にて実行する。
【０１１９】
図１４に、それらの内容を示す。「印刷」が指示された場合には、カラー印刷指定であると、前述の「カラー印刷画質調整」（７）を実行してカラー印刷を行い（２７）、プリンタによる印刷のカラー印刷画質調整要否データＦＰｃｅを、画質調整要を表す１に変更する（２８）。なお、該「カラー印刷画質調整」（７）では、カラー印刷画質調整要否データＦＰｃｅが０であると実際の調整は行わない。スタンバイモードを設定し退避データを再設定したとき（２，３，４）、設定がカラー印刷モードで、カラー印刷画質調整要（ＦＰｃｅ＝１）であったので、図１２の「各色作像濃度調整」（７２）を実行し必要に応じて「各色画像位置調整」（７４）を実行してカラー印刷画質調整要否データＦＰｃｅを０（調整不要）としていたときには、図１４のステップ２６の次の「カラー印刷画質調整」（７）では、実際の調整は行わない。
【０１２０】
「印刷」の指定がカラー印刷でなかった場合には、前述の「Ｋ印刷画質調整」（８）を実行してモノクロ印刷を行い（２９）、プリンタによるモノクロ印刷の画質調整要否データＦＰｃｅを、画質調整要を表す１に変更する（２８）。なお、該「カラー印刷画質調整」（７）では、モノクロ印刷画質調整要否データＦＰｋｅが０であると実際の調整は行わない。スタンバイモードを設定し退避データを再設定したとき（２，３，４）、設定がカラー印刷モードでなく、モノクロ印刷画質調整要（ＦＰｋｅ＝１）であったので、図１２の「Ｋ画像濃度調整」（８２）を実行してモノクロ印刷画質調整要否データＦＰｋｅを０（調整不要）としていたときには、図１４のステップ２６の次の「Ｋ印刷画質調整」（８）では、実際の調整は行わない。
【０１２１】
つまり、電源オン又は省エネモードからの復帰によりスタンバイモードを設定したときに、「印刷」設定ではあるがカラー印刷モードでなく、しかもモノクロ印刷画質調整要否データＦＰｋｅが１（調整要）のときには、自動的に「Ｋ印刷画質調整」（８）の「Ｋ作像濃度調整」（８２）が実行され、「入力読取」（１０）でモノクロ印刷指示又はファクシミリ受信書画の印刷指示を読み込んだときには、「Ｋ作像濃度調整」（８２）を実行せずに、直ちにモノクロ印刷が開始される。スタンバイモードへの切換りから、Ｙ，Ｃ，Ｍ各色作像ユニットの作像濃度調整（７２）および各色画像位置調整（７４）は実行しないので、スタンバイモードへ切換り直後のモノクロ印刷，ファクシミリ受信書画の印刷、のウォームアップ時間が短い。
【０１２２】
「入力読取」（１０）で「コピー」指示を読込んだときには、カラーコピー指定であると、前述の「カラーコピー調整」（２３）を実行してカラーコピーを行い（３２）、カラー印刷画質調整要否データＦＰｃｅおよびカラー読取画質調整要否データＦＳｃｅを、調整要を表す１に変更する（３３）。なお、該「カラーコピー調整」（２３）では、カラー印刷画質調整要否データＦＰｃｅ，モノクロ印刷画質調整要否データＦＳｃｅが０であると実際の調整は行わない。スタンバイモードを設定し退避データを再設定したとき（２，３，４）、設定がカラーコピーモードで、画質調整要（ＦＰｃｅ，ＦＳｃｅ＝１）であったので、図１３の「カラー白レベル調整」（１９２）を実行し、そして図１２の「各色作像濃度調整」（７２）および必要に応じて「各色画像位置調整」（７４）を実行して画質調整要否データＦＰｃｅ，ＦＳｃｅを０（調整不要）としていたときには、図１４のステップ３１の次の「カラーコピー調整」（２３）では、実際の調整は行わない。
【０１２３】
「コピー」の指定がカラーコピーでなかった場合には、前述の「モノクロコピー調整」（２４）を実行してモノクロコピーを行い（３４）、モノクロ画質調整要否データＦＰｋｅ，ＦＳｋｅを、画質調整要を表す１に変更する（３５）。なお、該「モノクロコピー調整」（２４）では、モノクロ画質調整要否データＦＰｋｅ，ＦＳｋｅが０であると実際の調整は行わない。スタンバイモードを設定し退避データを再設定したとき（２，３，４）、設定がカラーコピーモードでなく、画質調整要（ＦＰｋｅ，ＦＳｋｅ＝１）であったので、図１３の「モノクロ白レベル調整」（２０２）および「Ｋ作像濃度調整」（８２）を実行してモノクロ画質調整要否データＦＰｋｅ，ＦＳｋｅを０（調整不要）としていたときには、図１４のステップ３１の次の「モノクロコピー調整」（２４）では、実際の調整は行わない。
【０１２４】
つまり、電源オン又は省エネモードからの復帰によりスタンバイモードを設定したときに、「コピー」設定ではあるがカラーコピーモードでなく、しかもモノクロ画質調整要否データＦＰｋｅ，ＦＳｋｅが１（調整要）のときには、自動的に「モノクロコピー調整」（２４）の中の、「モノクロ読取調整」（２０）の中の「モノクロ白レベル調整」（２０２）、および、「Ｋ印刷画質調整」の中の「Ｋ作像濃度調整」（８２）が実行され、「入力読取」（１０）でモノクロコピー指示を読込んだときには、「モノクロ白レベル調整」（２０２）および「Ｋ作像濃度調整」（８２）を実行せずに、直ちにモノクロコピーが開始される。スタンバイモードへの切換りから、「カラー白レベル調整」（１９２），Ｙ，Ｃ，Ｍ各色作像ユニットの作像濃度調整（７２）および各色画像位置調整（７４）は実行しないので、スタンバイモードへ切換り直後のモノクロコピーのウォームアップ時間が短い。
【０１２５】
「入力読取」（１０）で「スキャナ」指示を読込んだときには、カラー読取指定であると、前述の「カラー読取調整」（１９）を実行してスキャナ１０によるカラー読取を行い（３７）、カラー読取画質調整要否データＦＳｃｅを、調整要を表す１に変更する（３８）。なお、該「カラー読取調整」（１９）では、カラー読取画質調整要否データＦＳｃｅが０であると実際の調整は行わない。スタンバイモードを設定し退避データを再設定したとき（２，３，４）、設定がカラー読取モードで、カラー読取画質調整要（ＦＳｃｅ＝１）であったので、図１３の「カラー白レベル調整」（１９２）を実行して画質調整要否データＦＳｃｅを０（調整不要）としていたときには、図１４のステップ３６の次の「カラー読取調整」（１９）では、実際の調整は行わない。
【０１２６】
「スキャナ」の指定がカラー読取でなかった場合には、前述の「モノクロ読取調整」（２０）を実行してモノクロ読取を行い（３９）、モノクロ読取画質調整要否データＦＳｋｅを、画質調整要を表す１に変更する（４０）。なお、該「モノクロ読取調整」（２０）では、モノクロ読取画質調整要否データＦＳｋｅが０であると実際の調整は行わない。スタンバイモードを設定し退避データを再設定したとき（２，３，４）、設定がカラー読取モードでなく、モノクロ読取画質調整要（ＦＳｋｅ＝１）であったので、図１３の「モノクロ白レベル調整」（２０２）を実行してモノクロ読取画質調整要否データＦＳｋｅを０（調整不要）としていたときには、図１４のステップ３６の次の「モノクロ読取調整」（２０）では、実際の調整は行わない。
【０１２７】
つまり、電源オン又は省エネモードからの復帰によりスタンバイモードを設定したときに、「スキャナ」設定であるがカラー読取モードでなく、しかもモノクロ読取画質調整要否データＦＳｋｅが１（調整要）のときには、自動的に「モノクロ読取調整」（２０）の中の「モノクロ白レベル調整」（２０２）が実行され、「入力読取」（１０）でモノクロ読取指示を読込んだときには、「モノクロ白レベル調整」（２０２）を実行せずに、直ちにモノクロコピーが開始される。スタンバイモードへの切換りから、「カラー白レベル調整」（１９２）は実行しないので、スタンバイモードへ切換り直後のモノクロ読取のウォームアップ時間が短い。
【図面の簡単な説明】
【０１２８】
【図１】本発明の１実施例を装備した複合機能フルカラー複写機Ａ１の外観を示す正面図である。
【図２】図１に示す原稿スキャナ１０の読み取り機構の概要を示す拡大縦断面図である。
【図３】図１に示すプリンタ１００の作像機構の概要を示す拡大縦断面図である。
【図４】図１に示す複合機能フルカラー複写機Ａ１の画像処理システムの概要を示すブロック図である。
【図５】図４に示す画像データインターフェース制御ＣＤＩＣの構成の概要を示すブロック図である。
【図６】図４に示す画像メモリアクセス制御ＩＭＡＣの構成の概要を示すブロック図である。
【図７】図４に示す画像データ処理器ＩＰＰの機能構成の大要を示すブロック図である。
【図８】図４に示す画像データ処理器ＩＰＰの機能構成を模式的に示すブロック図である。
【図９】図４に示す画像データ処理器ＩＰＰのハードウェア構成の概要を示すブロック図である。
【図１０】図９に示す画像データ処理器ＩＰＰ１の構成のやや詳細を示すブロック図である。
【図１１】図１に示す操作ボード２０の一部分の拡大平面図である。
【図１２】図４に示す画像データ処理装置ＡＣＰのシステムコントローラ１の、スタンバイモード／省エネモード間の切換え制御、および、プリンタ１００およびスキャナ１０の画質調整制御、の一部を示すフローチャートである。
【図１３】システムコントローラ１の上記制御の他の一部を示すフローチャートである。
【図１４】システムコントローラ１の上記制御の残部を示すフローチャートである。
【符号の説明】
【０１２９】
１０：カラー原稿スキャナ  ２０：操作ボード
３０：自動原稿供給装置    ３４：フィニッシャ
３４ｈｓ：積載降下トレイ  ３４ｕｄ：昇降台
３４ｓｔ：ソートトレイ群  
４１Ｍ，４１Ｃ，４１Ｙ，４１Ｋ：レーザ発光器
１００：カラープリンタ    ＰＣ：パソコン
ＰＢ×：交換器            ＰＮ：通信回線
１０２：光書込みユニット  １０３，１０４：給紙カセット
１０５：レジストローラ対  １０６：転写ベルトユニット
１０７：定着ユニット      １０８：排紙トレイ
１１０Ｍ，１１０Ｃ，１１０Ｙ，１１０Ｋ：感光体ユニット
１１１Ｍ，１１１Ｃ，１１１Ｙ，１１１Ｋ：感光体ドラム
１２０Ｍ，１２０Ｃ，１２０Ｙ，１２０Ｋ：現像器
１６０：転写搬送ベルト
２３１：原稿台ガラス    ２３２：照明ランプ
２３３：第１ミラー      ２３４：第２ミラー
２３５：第３ミラー      ２３６：レンズ
２０７：ＣＣＤ          ２３８：ステッピングモータ
２３９：基準白板        ２４０：ガラス
２４１：原稿トレイ    ２４２：ピックアップローラ
２４３：レジストローラ対  ２４４：搬送ドラム
２４５：押さえローラ  ２４６，２４７：排紙ローラ
２４８：排紙トレイ兼用の圧板
２４９：基点センサ      ２５０：軸
２５１：スケール
ＡＣＰ：画像データ処理装置
ＣＤＩＣ：画像データインターフェース制御
ＩＭＡＣ：画像メモリアクセス制御
ＩＰＰ：画像データ処理器  ＨＤＤ：ハードディスク装置
【図１】
2009186897.tif 000003
【図２】
2009186897.tif 000004
【図３】
2009186897.tif 000005
【図４】
2009186897.tif 000006
【図５】
2009186897.tif 000007
【図６】
2009186897.tif 000008
【図７】
2009186897.tif 000009
【図８】
2009186897.tif 000010
【図９】
2009186897.tif 000011
【図１０】
2009186897.tif 000012
【図１１】
2009186897.tif 000013
【図１２】
2009186897.tif 000014
【図１３】
2009186897.tif 000015
【図１４】
2009186897.tif 000016